(57)【要約】      （修正有）【課題】視認性を確保しつつ、外部から物がぶつかる等による衝撃での破損の危険性の少ない表示灯を提供する。【解決手段】表示灯１において、開口部を有する取付面である壁面Ｗに取り付けられて、内側に発信機３１が配置される。表示灯１の本体部の外周部に、リング状の傾斜面を有する発光表示部１３を配置し、発光表示部１３における傾斜面が取付面である壁面Ｗより突出しないように設置される。【選択図】図８
2020161154.tif 000002
【特許請求の範囲】
【請求項１】
開口部を有する取付面に取り付けられて、内側に発信機が配置される表示灯であって、
表示灯の本体部の外周部に、リング状の傾斜面を有する発光表示部を配置し、
前記発光表示部における傾斜面が前記取付面より突出しないように設置されることを特徴とする表示灯。
【発明の詳細な説明】
【技術分野】
【０００１】
本発明は、例えば消火栓箱、総合盤等の機器収納箱に取り付けられる発信機等の防災機器の位置を表示する表示灯に関する。
【背景技術】
【０００２】
普及している表示灯は、円錐の頂部が半球状になった赤色グローブと呼ばれるもので形成され、取付面から突出するように取り付けられているのが一般的である（例えば特許文献１の図１および図１２を参照）。
取付面から突出させているのは、取付面の側方からの視認性を向上させるためであるが、その一方で側方から物がぶつかって表示灯が破損する危険がある。
【０００３】
なお、表示灯の形状に関し、正面を平面にした円筒形状のものが特許文献２に開示されている（特許文献２の図１〜図５を参照）。
特許文献２においては、表示灯の壁面等の取付面への取付態様が記載されていないので、表示灯を取付面から突出させるのか、埋め込むのかは不明である。
【先行技術文献】
【特許文献】
【０００４】
【特許文献１】特開平９−１０２０８５号公報
【特許文献２】実開平５−６６７９４号公報
【発明の概要】
【発明が解決しようとする課題】
【０００５】
特許文献２の表示灯は、平面であるが故に側方からの視認性が低いという問題がある。もっとも、特許文献２には表示灯の正面内側に各種の凹凸を形成することで、光の散乱性を高めて視認性を向上させるとしている。
しかしながら、光の散乱性を高めることで視認性を向上させるには、表示灯の正面が取付面より若干でも突出する必要があり、また、そのような態様で取り付けたとしても、十分な視認性が得られるとは限らない。
【０００６】
そこで、視認性を確保しつつ、外部から物がぶつかる等による衝撃での破損の危険性の少ない表示灯の開発が望まれていた。
また、作業性よく取り付けができる表示灯及びその取付方法の開発が望まれていた。
【０００７】
本発明は、上記のような課題を解決するためになされたものである。
【課題を解決するための手段】
【０００８】
（Ｃ−１）
本発明に係る表示灯は、開口部を有する取付面に取り付けられて、内側に発信機が配置されるものであって、
表示灯の本体部の外周部に、リング状の傾斜面を有する発光表示部を配置し、
前記発光表示部における傾斜面が前記取付面より突出しないように設置されることを特徴とするものである。
（Ｂ−１）本発明に係る表示灯は、発信機を収納する発信機収納部を備える本体部を有し、取付面に取り付けられて前記発信機収納部に収納された前記発信機の位置を表示する表示灯であって、
前記発信機を収納した前記本体部と、該本体部を構成する外周壁から外方に張り出すと共にスタッドねじ貫通孔が設けられた取付部と、前記外周壁の内側に設けられた発光素子と、該発光素子の光を透光させて光る発光表示部とを備え、
前記取付部をスタッドねじが設けられた前記取付面の背面側に配置し、前記スタッドねじを前記取付部のスタッドねじ貫通孔に挿通して取り付けると共に、取付状態において前記発光表示部が前記取付面から突出しないように構成されていることを特徴とするものである。
（Ｂ−２）また、本発明に係る表示灯の取付方法は、  発信機を収納する発信機収納部を備える本体部と、該本体部を構成する外周壁から外方に張り出すと共にスタッドねじ貫通孔が設けられた取付部と、前記外周壁の内側に設けられた発光素子と、該発光素子の光を透光させて光る発光表示部とを有し、前記発信機収納部に収納された前記発信機の位置を表示する表示灯の取付面への取付方法であって、
前記取付部をスタッドねじが設けられた前記取付面の背面側に配置し、前記スタッドねじを前記取付部のスタッドねじ貫通孔に挿通し、取付状態において前記発光表示部が前記取付面から突出しないように取り付けることを特徴とするものである。
（Ａ−１）本発明に係る表示灯は、発信機を収納する発信機収納部を備える本体部と、該本体部を壁面に取り付けるための円環部材とを有し、前記発信機収納部に収納された前記発信機の位置を表示する表示灯であって、
前記壁面に設けた開口部に挿入されて前記発信機を収納した前記本体部と、前記円環部材とで前記開口部の縁部を挟むことを特徴とするものである。
上記構成により、作業性よく取り付けができるという効果を奏することができる。
（Ａ−２）また、上記（Ａ−１）に記載のものにおいて、前記円環部材に雌ねじが形成されており、前記発信機収納部に前記発信機を収納したものを前記円環部材によって前記壁面に取り付けることを特徴とするものである。
（Ａ−３）また、上記（Ａ−１）又は（Ａ−２）に記載のものにおいて、前記発信機を収納した前記本体部から外方に張り出した取付部を備え、
該取付部は、表示灯の取付時に開口部との間に形成される隙間を覆うことを特徴とするものである。
（Ａ−４）また、本発明に係る表示灯の取付方法は、発信機を収納する発信機収納部を備える本体部と、該本体部を壁面に取り付けるための円環部材とを有し、前記発信機収納部に収納された前記発信機の位置を表示する表示灯の取付方法であって、
前記壁面に設けた開口部に前記本体部を挿入して、前記発信機を収納した本体部と前記円環部材とで前記開口部の縁部を挟んで取り付けることを特徴とするものである。
（１−１）本発明に係る表示灯は、開口部を有する取付面に取り付けられて防災機器の位置を表示する表示灯であって、
外周壁と内周壁を有し、前記外周壁と前記内周壁の間に発光素子を収容すると共に該内周壁の内側に前記防災機器を収納する本体部と、前記発光素子が発光する光を透光させて光る発光表示部とを有し、
前記発光表示部は、前記内周壁の内側に収容された前記防災機器の外周に、前記外周壁から前記内周壁にかけて傾斜して設けられ、
前記発光素子は、前記外周壁と前記内周壁の間に設けられ、かつ前記防災機器に向けて発光するように配置されていることを特徴とするものである。
（１−２）また、上記（１−１）に記載のものにおいて、
前記発光表示部は無色の透光部材からなり、
前記発光素子は赤色であることを特徴とするものである。
（１）また、本発明に係る表示灯は、開口部を有する取付面に取り付けられて防災機器の位置を表示する表示灯であって、
発光源を収容する本体部と、前記発光源が発光する光を透光させて明るく光る発光表示部とを有し、
前記発光表示部は、リング状の傾斜面を有し、該傾斜面はリングの内側かつ奥側に向かって傾斜してなり、
前記発光表示部における前記傾斜面が前記取付面より突出しないように設置されることを特徴とするものである。
本発明においては、発光表示部は、リング状の傾斜面を有し、該傾斜面はリングの内側かつ奥側に向かって傾斜してなり、前記発光表示部における前記傾斜面が前記取付面より突出しないように表示灯が設置されるので、全方位からの視認性を確保しつつ、外部から物がぶつかる等による衝撃での破損の危険性が少ないという効果を奏することができる。
【０００９】
（２）また、上記（１）に記載のものにおいて、前記リング状の傾斜面の外周縁部に、前記取付面の開口部への位置合せ機能を有するリング状の立片部を有することを特徴とするものである。
【００１０】
（３）また、上記（１）又は（２）に記載のものにおいて、前記リング状の傾斜面に囲まれた部位より背面側に押ボタンを備えた発信機を収納する発信機収納部を有し、該発信機収納部に発信機を収納してなることを特徴とするものである。
【００１１】
（４）また、上記（１）又は（２）に記載のものにおいて、前記リング状の傾斜面に囲まれた部位より背面側を覆う赤色板を有することを特徴とするものである。
【００１２】
（５）また、上記（１）乃至（４）のいずれかに記載のものにおいて、前記リング状の傾斜面の外周縁部に、前記取付面に前記表示灯を取り付けるための取付部を備えたことを特徴とするものである。
【００１３】
（６）また、上記（５）に記載のものにおいて、前記取付部は、外方に張り出すフランジ部を有してなり、
前記表示灯は前記取付面の背面側に配置されて、前記フランジ部が前記取付面の前記開口部の縁部にねじ固定されることを特徴とするものである。
【００１４】
（７）また、上記（５）に記載のものにおいて、前記表示灯は、前記取付面に取り付けるための別部材からなるドーナツ板の取付リングを有し、
前記取付部は、外方に張り出すフランジ部を有してなり、
前記表示灯は前記取付面の背面側に配置されて、前記フランジ部と前記取付面の正面側に配置した前記取付リングとで、前記取付面の前記開口部の縁部を挟持して、前記フランジ部と前記取付リングとをねじ固定することで取り付けられる特徴とするものである。
【００１５】
（８）また、上記（５）に記載のものにおいて、前記表示灯は、別部材として、円環状からなり、内周面に雌ねじ部が設けられた雌ねじ円環部材を有し、
前記取付部は、外方に張り出すフランジ部を有してなり、
前記本体部は、外周面に前記雌ねじ円環部材の前記雌ねじ部に対応する雄ねじ部を有する円筒部を備えてなり、
前記表示灯は、前記取付面の前記開口部に正面側から挿入された前記本体部の雄ねじ部に、前記取付面の背面側から前記雌ねじ円環部材の前記雌ねじ部を螺合させることで、前記フランジ部と前記雌ねじ円環部材によって前記取付面の前記開口部の縁部を挟持して取り付けられること特徴とするものである。
【発明の効果】
【００１６】
本発明に係る表示灯は、開口部を有する取付面に取り付けられて、内側に発信機が配置される表示灯であって、表示灯の本体部の外周部に、リング状の傾斜面を有する発光表示部を配置し、前記発光表示部における傾斜面が前記取付面より突出しないように設置されることにより、全方位からの視認性を確保しつつ、外部から物がぶつかる等による衝撃での破損の危険性が少ないという効果を奏することができる。
【図面の簡単な説明】
【００１７】
【図１】本発明の実施の形態１に係る表示灯の正面側からの斜視図である。
【図２】本発明の実施の形態１に係る表示灯の背面側からの斜視図である。
【図３】本発明の実施の形態１に係る表示灯の内部構造を説明する説明図であって、表示灯の中央を通る縦断面図である。
【図４】本発明の実施の形態１に係る表示灯に取り付けられる発信機の斜視図である。
【図５】図４に示す発信機の蓋体の正面側の斜視図である。
【図６】図４に示す発信機の蓋体を外した状態の斜視図である。
【図７】本発明の実施の形態１に係る表示灯の取付構造を説明する説明図である。
【図８】本発明の実施の形態１に係る表示灯の取付状態を説明する説明図である。
【図９】本発明の実施の形態１に係る表示灯の取付状態における視認性を説明する説明図である。
【図１０】本発明の実施の形態２に係る表示灯の取付構造を説明する説明図である。
【図１１】本発明の実施の形態２に係る表示灯の取付状態における正面図である。
【図１２】本発明の実施の形態２に係る表示灯の取付状態における側面図である。
【図１３】本発明の実施の形態３に係る表示灯の取付構造を説明する説明図である。
【発明を実施するための形態】
【００１８】
［実施の形態１］
本実施の形態に係る表示灯１について図１〜図３に基づいて詳細に説明する。
＜表示灯＞
表示灯１は、消火栓設備の筐体等の壁面Ｗを取付面として取り付けられ、点灯することで後述する発信機３１などの防災機器の位置を表示する。
表示灯１は、図１に示すように、円筒状からなり発光源としての発光素子５を収容する本体部３と、本体部３の一端に外方に略正方形状に張り出すフランジ部を有してなり、表示灯１を壁面Ｗに取り付けるための取付部７とを備えている。
【００１９】
≪本体部≫
本体部３の周壁は、図２および図３に示すように、外周壁９および内周壁１１からなる２重構造になっている。これらの周壁（外周壁９および内周壁１１）は本体部３の正面側においては、内周壁１１の端部が外周壁９の端部よりも奥側に位置している。
本体部３の正面側は、図１および図３に示すように、外周壁９の端部から内周壁１１の端部にかけて内側かつ奥側に向かって傾斜するリング状の傾斜面になっており、該傾斜面が表示灯１の発光表示部１３になっている。
【００２０】
発光表示部１３は、例えば赤色の透光性材料からなり、発光表示部１３の背面側（外周壁９と内周壁１１の間）に設けられた発光素子５（図３参照）からの光を透光させて明るく光るようになっている。このように、発光素子５は、内周壁１１、外周壁９、リング状の傾斜面及び取付部７の内周側とで囲まれる発光素子収納部に設けられている。
なお、発光素子５は、図３（ａ）に示すように発光表示部１３のリングの中心に向けて配置してもよいし、図３（ｂ）に示すように表示灯１の正面に向けて配置してもよい。なお、図３（ａ）に示す場合の方が側方から視認しやすいのでより好ましい。
また、発光表示部１３を構成する透光部材は、赤色に限られない。発光表示部１３は無色透明な透光部材で構成されても良い。この場合、発光素子５を赤色のＬＥＤにすることで、発光表示部１３は赤く表示されることになる。
【００２１】
内周壁１１の内側は、発信機３１の後述する前面部３４が収納される前面部収納部１４になっている。また、前面部収納部１４の背面側、後述する本体保持部１９の内側が、発信機３１の後述する本体部３５を収納する本体部収納部１８になっている。そして、前面部収納部１４と本体部収納部１８からなる発信機３１全体を収納する部分が発信機収納部１５になっている（図１参照）。つまり、発信機収納部１５は、発光表示部１３であるリング状の傾斜面に囲まれた部位より背面側に位置する。
内周壁１１の背面側端部には、平板からなる発信機固定部１７が設けられており、この発信機固定部１７の中央部には発信機３１の本体部３５（詳細は後述）が挿入可能な本体挿入穴１６が設けられている。
発信機固定部１７の背面側には、本体挿入穴１６の縁に沿って立設する縦壁からなり、発信機３１の本体部３５が本体挿入穴１６に挿入される際に本体部３５を保持する本体保持部１９が設けられている。
発信機固定部１７には、発信機３１を表示灯１側にねじ留めするためのねじ孔２１が設けられている。
【００２２】
≪取付部≫
取付部７の四隅には、図１および図２に示すように、表示灯１を壁面Ｗに取り付けるためのスタッドねじ貫通孔２３が設けられている。
取付部７には、発光表示部１３の外周を縁取るリング状の立片部２５が設けられている。すなわち、発光表示部１３であるリング状の傾斜面の外周縁部にリング状の立片部２５が設けられている。立片部２５は、表示灯１が壁面Ｗに取り付けられる際に、壁面Ｗに設けられた開口部９３（図７参照）の縁に内側から当接して、表示灯１の位置決め（位置合せ）をする機能を有している。
なお、立片部２５を設けることで側方からの視認性が向上する効果もある。また、立片部２５は、表示灯取付時や取付後において、開口部９３の縁で手等を傷つけるのを防止する機能も有する。
表示灯１は、壁面Ｗに取り付けられると、発光表示部１３のリング状の傾斜面が取付面である壁面Ｗより突出しないようになっている。そのため表示灯１における発光表示部１３には、壁面Ｗから突出する部分がなく、従来の一般的な膨出型の表示灯のように側方から物がぶつかって破損することがない。
【００２３】
＜発信機＞
次に、上述した表示灯１の発信機収納部１５に収納される発信機３１について以下に図４〜図６に基づいて以下に詳細に説明する。
発信機３１は、押ボタン３３を備え、押ボタン３３が押下されると図示しない火災受信機に火災信号を発信する。
発信機３１は、図４に示す通り、円筒状からなり前面に押ボタン３３を備える前面部３４と、箱状からなり内部に押ボタン３３に連動するスイッチ（図示なし）等を収容する本体部３５とを有している。
前面部３４は、本体部３５の一面から張り出す浅底の有底円筒枠体からなり押ボタン３３を格納する押ボタン格納部３７と、押ボタン格納部３７を覆う蓋体３９（図４および図５参照）からなる。
前面部３４の円筒の高さは、表示灯１の内周壁１１の高さと同程度に設定されている。
蓋体３９には、押ボタン３３を操作するための窓部４１が設けられている。
【００２４】
押ボタン３３の上方には、図示しない受信機側の人と通話する受話器を接続する電話ジャックが設けられている（図示なし）。蓋体３９における電話ジャックに対応する位置（窓部４１の上方）には、長方形の窓からなる電話ジャック窓４５と、電話ジャック窓４５を開閉自在に覆う電話ジャック窓扉４７とが設けられている（図４および図５参照）。
押ボタン格納部３７の底部における左右には、発信機３１を表示灯１に固定するためのねじ４９（図７参照）が貫通するねじ貫通孔５１が設けられている（図６参照）。
本体部３５の下面側には、発信機３１を受信機側に接続するための配線接続部（図示なし）が設けられている。
【００２５】
以上のように構成された発信機３１の表示灯１への取付方法および、表示灯１の壁面Ｗへの取付方法について図７に基づいて説明するとともに、適宜取付状態について図８を参照しながら説明する。
表示灯１の取付面となる壁面Ｗには、図７に示す通り、表示灯１を背面側に取り付けるための開口部９３が設けられている。壁面Ｗの背面側には、表示灯１の取付部７のスタッドねじ貫通孔２３に対応する位置に、スタッドねじ９１が設けられている。
【００２６】
まず、蓋体３９を外した状態の発信機３１の本体部３５を、表示灯１の発信機収納部１５の本体部収納部１８に収納する。本体部３５が発信機収納部１５の本体部収納部１８に収納されると、押ボタン格納部３７の背面と発信機固定部１７の正面側の面とが当接して、発信機３１の奥行方向の位置決めがされるとともに、発信機３１の本体部３５が本体保持部１９によって保持される。
【００２７】
このように発信機３１が表示灯１に収納されると、発信機３１は発光表示部１３に囲まれることになる（図８参照）。
この状態で発信機３１のねじ貫通孔５１にねじ４９を挿通して、これらのねじ４９を発信機固定部１７のねじ孔２１に螺入することによって、発信機３１は表示灯１に固定される。そして、蓋体３９で押ボタン格納部３７を閉じると発信機３１の表示灯１へ取り付けが完了する。
このとき、表示灯１の前面部収納部１４に、発信機３１の前面部３４が収納される。そして、上述したとおり、前面部３４の円筒の高さと表示灯１の内周壁１１の高さがほぼ同じになるように形成されているため、前面部３４が前面部収納部１４に収納されたとき、蓋体３９の前面が、発光表示部１３であるリング状の傾斜面と内周壁１１との境目あたりに位置することになる（図８参照）。
【００２８】
次に、壁面Ｗのスタッドねじ９１を表示灯１の取付部７のスタッドねじ貫通孔２３に挿通させて、取付部７を壁面Ｗの背面に当接させる。このとき、仮に、スタッドねじ貫通孔２３の径をスタッドねじ９１の径よりも大きく設定した場合でも、立片部２５が壁面Ｗの開口部９３の縁に内側から当接することによって表示灯１の位置決めがなされる。逆に言えば、スタッドねじ貫通孔２３の径をスタッドねじ９１の径よりも大きく設定することができ、スタッドねじ９１とスタッドねじ貫通孔２３との多少の位置ずれを吸収することができるので、設計が容易でかつ作業性にも優れる。
また、立片部２５を設けることで、開口部９３の開口縁部を内側から覆うことができ、意匠性に優れると共に、開口部９３の縁で怪我をする恐れもない。
【００２９】
次に、取付部７の背面側からナット６１をスタッドねじ９１に螺合させることで表示灯１をねじ固定する。このようにして、表示灯１が壁面Ｗに取り付けられる（図８参照）。
なお、上記では、発信機３１を表示灯１に取り付けた後に表示灯１を壁面Ｗに取り付けた例を示したが、表示灯１を壁面Ｗに取り付けた後に発信機３１を取り付けてもよい。
すなわち、表示灯１は、取付面である壁面Ｗの背面側に配置されており、取付部７が壁面Ｗの開口部９３の縁部にねじ固定されている。
【００３０】
以上のように壁面Ｗに取り付けられた表示灯１の発光表示部１３は通常時において明るく光っており、発信機３１（防災機器）の位置も表示する。
表示灯１の使用時における作用効果について、図９に基づいて以下に説明する。
図９（ａ）は、取付状態における表示灯１の正面図であり、図９（ｂ）は取付状態における表示灯１をななめ側方から見た図である。
リング状の発光表示部１３は、リング内方でかつ奥側に向かって傾斜しているため、図９（ａ）に示すように、正面側からの視認性に優れると共に、図９（ｂ）に示すように、側方からでも容易に視認することができる。
【００３１】
また、発光表示部１３は発信機３１を囲んで、かつ発光表示部１３は発信機３１側に傾斜しているため、発信機３１の押ボタン３３を照らすことができ、暗所であっても発信機３１の操作や、電話ジャックへの受話器の接続作業が容易である。
また上述した通り、表示灯１は壁面Ｗから大きく突出する部分がなく、側方から物がぶつかって破損することもない。
【００３２】
［実施の形態２］
上記実施の形態１では、壁面Ｗに設けられたスタッドねじ９１を用いて表示灯１を壁面Ｗに取り付ける例を示したが、表示灯の取付構造はこれに限られない。
例えば、図１０に示すように、ドーナツ板（ドーナツ状の平板）からなり、背面側の面に複数のスタッドねじ７３が設けられた取付リング７５を用いて壁面Ｗに取り付けるようにしてもよい。この取付構造について以下に詳細に説明する。
【００３３】
本実施の形態に係る表示灯７１の取付部７７は外周壁９から円形に張り出しており、取付リング７５のスタッドねじ７３に対応する位置にスタッドねじ貫通孔７９が設けられている。表示灯７１のその他の構成は実施の形態１の表示灯１と同様であるので、図１０において同一のものには同一の符号を付している。
また、発信機３１は上記の実施の形態１と同様であるので、図１０において同一の符号を付している。
【００３４】
上記のように構成された表示灯７１の取付方法について以下に説明する。なお、発信機３１の表示灯７１への取付方法は、実施の形態１で説明した方法と同様であるのでその説明を省略する。
壁面Ｗには開口部９３および取付リング７５のスタッドねじ７３に対応する位置にスタッドねじ貫通孔１０１を設けておく。
まず、壁面Ｗの正面側からスタッドねじ貫通孔１０１に、取付リング７５のスタッドねじ７３を挿通する。
次に、壁面Ｗの背面側から取付部７７のスタッドねじ貫通孔７９にスタッドねじ７３を挿通し、取付部７７と取付リング７５とで、壁面Ｗの開口部９３の縁部を挟持させる。
この状態で、ナット６１をスタッドねじ７３に螺合させて表示灯７１を壁面Ｗ側にねじ固定する。このようにして、表示灯７１が壁面Ｗに取り付けられる。
すなわち、表示灯１は、取付面である壁面Ｗの背面側に配置されて、取付部７と壁面Ｗの正面側に配置した取付リング７５とで、壁面Ｗの開口部９３の縁部を挟持して、取付部７と取付リング７５とを固定することで取り付けられている。
【００３５】
以上のように取付リング７５を用いることで、例えば、開口部９３の形状が正確でなかったり位置がずれていたりしたような場合であって、表示灯取付時に表示灯７１の立片部２５と開口部９３との間に隙間が生じるような場合でも、取付リング７５によって前記隙間を覆うことができるため（図１１参照）、見た目が良好である。従って、開口部９３の穴あけ精度をある程度低くすることができ、穴あけ作業の作業効率を向上させることができる。
また、壁面Ｗにスタッドねじ９１を設けずに、単に穴（スタッドねじ貫通孔１０１）を開けるだけでよいため、壁面Ｗにスタッドねじ９１を設けることが難しい場合でも、表示灯７１を容易に設置することができる。
また、側方からの発光表示部１３の視認性が高い点、および壁面Ｗから大きく突出する部分がないため物がぶつかって表示灯７１が破損することがない（図１２参照）点は、上記実施の形態１の表示灯１と同様である。
【００３６】
［実施の形態３］
上記実施の形態１および実施の形態２では、スタッドねじ（スタッドねじ７３、スタッドねじ９１）を用いて壁面Ｗに取り付ける表示灯の例を示したが、表示灯の取付構造は、スタッドねじを用いないで行うことも可能である。
スタッドねじを用いない取付構造を有する表示灯の一例として、表示灯８１について以下に図１３に基づいて説明する。なお、発信機３１は実施の形態１および実施の形態２と同様であるのでその説明を省略する。
【００３７】
表示灯８１は、本体部３を構成する外周壁９の外周面に雄ねじ部８３が設けられている。また、表示灯８１の取付部８５は外周壁９から円形に張り出しており、実施の形態１および実施の形態２の表示灯（表示灯１および表示灯７１）の取付部（取付部７、取付部７７）に設けられているようなスタッドねじ貫通孔（スタッドねじ貫通孔２３、スタッドねじ貫通孔７９）は設けられていない。表示灯８１のその他の構成は実施の形態１の表示灯１および実施の形態２の表示灯７１と同様である。図１３において、表示灯１および表示灯７１と同様のものには同じ符号を付している。
表示灯８１の壁面Ｗへの取り付けには、円環状からなり内周面に雄ねじ部８３に対応する雌ねじ部が設けられた雌ねじ円環部材８７を用いる。
【００３８】
以下、表示灯８１の壁面Ｗへの取付方法について説明する。まず、表示灯８１の外周壁９を壁面Ｗの正面側から開口部９３に挿入する。次に、外周壁９の雄ねじ部８３に壁面Ｗの背面側から雌ねじ円環部材８７を螺合させる。こうすることで、取付部８５と雌ねじ円環部材８７とで、開口部９３の縁部を挟持して、表示灯８１が壁面Ｗに取り付けられる。なお、発信機３１の表示灯８１への取付方法は、実施の形態１で説明した方法と同様であるのでその説明を省略する。
【００３９】
以上のように、表示灯８１は、上記実施の形態２と同様に、表示灯の取付時に表示灯８１の発光表示部１３と開口部９３との間に隙間が生じるような場合でも、取付部８５によって前記隙間を覆うことができる。このため、開口部９３の穴あけ精度が低くてもよく、穴あけの作業性を向上できると共に、見た目も良好である。
また、側方からの発光表示部１３の視認性が高い点、および表示灯８１に側方から物がぶつからないという点も、実施の形態１および実施の形態２と同様である。
【００４０】
なお、上記の実施の形態１〜３では、発光表示部１３として円形リングの例を示したが本発明の発光表示部１３はリング状であればよく円形リングに限られず、例えば矩形リング状であってもよいし、あるいは多角形リング状であってもよい。
また、上記の実施の形態では、発光表示部がリング状の傾斜面を有する例として、発光表部がリング状の傾斜面のみからなる例を示したが、本発明はこれに限られるものではなく、発光表示部全体が壁面Ｗから突出しない凹状の曲面のような場合であってもよい。この場合であっても凹状の曲面の一部をリング状の傾斜面として捉えることができるので、この場合も本発明の発光表示部に含まれるのである。
【００４１】
また、上記の説明では、発光表示部１３のリングの内側に発信機収納部１５を設けて発信機３１が収納されている例を示したが、発信機３１は表示灯の外部に設けるようにしてもよい。
この場合、発光表示部１３のリングの内側には、発信機３１に代えて発光表示部１３のリングの内側を覆う赤色の円板を設けてもよい。
この場合、例えば、前記円板は表示灯１のねじ孔２１に対応する位置にねじ孔を設け、そのねじ孔にねじを挿通してねじ孔２１にねじ留めすることで、表示灯１の発信機収納部１５（詳細には、前面部収納部１４）に前記円板を取り付ける。
【００４２】
以上のように、本発明の表示灯１は、発信機３１と一体型の表示灯として構成すること、又は発信機３１と別体型の表示灯として構成することが可能であり、これらを状況に応じて適宜選択することが可能である。
【００４３】
また、前記円板を赤色の透光性材料で形成してもよい。この場合、表示灯１全体を透光性材料で一体成形して、発光素子５の光を前記円板から透光させて、前記円板を発光表示部１３と共に光らせるようにしてもよい。このようにすることで、表示灯１の視認性をより向上させることができる。また、さらに必要に応じて発光素子５の他に別途発光源を設けるなどしてもよい。
【符号の説明】
【００４４】
Ｗ    壁面
１    表示灯
３    本体部
５    発光素子
７    取付部
９    外周壁
１１    内周壁
１３    発光表示部
１４    前面部収納部
１５    発信機収納部
１６    本体挿入穴
１７    発信機固定部
１８    本体部収納部
１９    本体保持部
２１    ねじ孔
２３    スタッドねじ貫通孔
２５    立片部
３１    発信機
３３    押ボタン
３４    前面部
３５    本体部
３７    押ボタン格納部
３９    蓋体
４１    窓部
４５    電話ジャック窓
４７    電話ジャック窓扉
４９    ねじ
５１    ねじ貫通孔
６１    ナット
７１    表示灯
７３    スタッドねじ
７５    取付リング
７７    取付部
７９    スタッドねじ貫通孔
８１    表示灯
８３    雄ねじ部
８５    取付部
８７    雌ねじ円環部材
９１    スタッドねじ
９３    開口部
１０１  スタッドねじ貫通孔
【図１】
2020161154.tif 000003
【図２】
2020161154.tif 000004
【図３】
2020161154.tif 000005
【図４】
2020161154.tif 000006
【図５】
2020161154.tif 000007
【図６】
2020161154.tif 000008
【図７】
2020161154.tif 000009
【図８】
2020161154.tif 000010
【図９】
2020161154.tif 000011
【図１０】
2020161154.tif 000012
【図１１】
2020161154.tif 000013
【図１２】
2020161154.tif 000014
【図１３】
2020161154.tif 000015